(57)【要約】【課題】            構造物のサッシ窓に対応させてシャッター装置を頑丈かつ容易に取付けることが可能なシャッター装置の取付け構造を提供する。【解決手段】        シャッターカーテン３１をその開放方向側で収納する収納ケース３４ａを、構造物１０の開口部に設けられたサッシ枠２１に対応させて取付けるようにしたシャッター装置の取付け構造において、サッシ枠２１の周囲で該サッシ枠２１を固定する基枠１１に対し、前記収納ケース３４ａを固定するようにしたことを特徴とする。【選択図】          図１
2006283328.tif 000002
【特許請求の範囲】
【請求項１】
シャッターカーテンをその開放方向側で収納する収納ケースを、構造物の開口部に設けられたサッシ枠に対応させて、該構造物に取付けるようにしたシャッター装置の取付け構造において、
サッシ枠の周囲で該サッシ枠を固定する基枠に対し、前記収納ケースを固定するようにしたことを特徴とするシャッター装置の取付け構造。
【請求項２】
上記収納ケースを、上記サッシ枠よりもシャッター開放方向側に配設するようにしたことを特徴とする請求項１記載のシャッター装置の取付け構造。
【請求項３】
上記収納ケースを、上記サッシ枠内におけるシャッター開放方向側に配設するようにしたことを特徴とする請求項１記載のシャッター装置の取付け構造。
【請求項４】
上記基枠に対し支持部材を固定し、該支持部材に対し上記収納ケースを支持するようにしたことを特徴とする請求項１乃至３何れか１項記載のシャッター装置の取付け構造。
【請求項５】
上記基枠に対し支持部材を固定し、該支持部材に対し上記収納ケースを支持するようにしたシャッター装置の取付け構造であって、
前記支持部材を、上記基枠に対し固定される基部と、上記サッシ枠よりもシャッター開放方向側に延設された延設部とから一体的に構成し、
前記延設部に対し、上記収納ケースを固定するようにしたことを特徴とする請求項２記載のシャッター装置の取付け構造。
【請求項６】
シャッターカーテンを開閉方向へ案内するガイドレールを、上記支持部材との係合により位置合わせするようにしたことを特徴とする請求項４又は５記載のシャッター装置の取付け構造。
【請求項７】
上記支持部材には、上記ガイドレールの出隅部分に対し重ね合わせ可能な入隅部が設けられ、
上記ガイドレールは、その出隅部分を前記入隅部に対し重ね合わせることで、位置合わせされていることを特徴とする請求項６記載のシャッター装置の取付け構造。
【発明の詳細な説明】
【技術分野】
【０００１】
本発明は、住宅やビル、倉庫、工場、地下街、トンネル、車両の荷台等の躯体の開口部にシャッター装置を取付けるようにしたシャッター装置の取付け構造に関し、特に、前記開口部に装着されたサッシ窓に対応してシャッター装置を取付けるのに好ましいシャッター装置の取付け構造に関する。
【背景技術】
【０００２】
サッシ窓の屋内側または屋外側にシャッター装置を設置する場合、シャッターカーテンをその開放方向側で収納する収納ケースおよび該収納ケース内の巻取軸等の重量が比較的大きいことから、これらを支持するための構造を頑強に構成する必要がある。
そこで、従来は、図８に示すように、設置対象である躯体側のサッシ枠１１０の上方側に、収納ケースを支持するための柱等が無い場合、その柱１２０を別途設けて、該柱１２０に対し、支持ブラケット１３０等を介して収納ケース１４０を止着するようにしていた。
また、他の従来技術としては、特許文献１に記載されているように、サッシ枠（サッシュ）を構成している縦枠（３）を、上方へ延出するように設け、その延出された部分に支持ブラケット（４）を固定し、該支持ブラケット（４）に対し収納ケース（収納ボックス８Ａ）を掛止ようにしたものもある。
【０００３】
しかしながら、上記何れの従来技術においても、上記柱１２０や、上方へ延出された縦枠（３）等、上記収納ケースを取付けるための部材を、標準的な躯体構造に対し、追加あるいは置換した構成とする必要がある。
そのため、例えば建造物に対し収納ケースを装着する場合には、上記柱（１２０）や上記縦枠（３）等を、その建造物の建設段階で予め設置しておいた方がよい。
すなわち、既存の建造物に対し、上記収納ケースを取付けようとした場合、上記柱（１２０）や上記縦枠（３）等を壁内等に埋め込む等して隠す必要があるため、その作業が困難である。
なお、上記収納ケースを壁面に直接掛止するようにした構造も考えられるが、壁面の強度不足となり易い。
【特許文献１】実開平４−６６２８９号公報
【発明の開示】
【発明が解決しようとする課題】
【０００４】
本発明は上記従来事情に鑑みてなされたものであり、その課題とする処は、構造物のサッシ窓に対応させてシャッター装置を頑丈かつ容易に取付けることが可能なシャッター装置の取付け構造を提供することにある。
【課題を解決するための手段】
【０００５】
上記課題を解決するために第一の発明では、シャッターカーテンをその開放方向側で収納する収納ケースを、構造物の開口部に設けられたサッシ枠に対応させて、該構造物に取付けるようにしたシャッター装置の取付け構造において、サッシ枠の周囲で該サッシ枠を固定する基枠に対し、前記収納ケースを固定するようにしたことを特徴とする。
【０００６】
ここで、上記シャッター装置は、少なくとも閉鎖方向へ動作可能なシャッターカーテンを備え、該シャッターカーテンのスライド動作により空間を仕切るように構成された装置であればよく、この開閉装置には、シャッターカーテンが閉鎖動作のみを行うように用いられる態様（例えば防火シャッター装置等）、シャッターカーテンが開放動作と閉鎖動作との双方を行うように用いられる態様等を含む。
【０００７】
また、上記シャッターカーテンには、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等を含む。
【０００８】
また、上記収納ケースは、上記シャッターカーテンを巻き取ったり繰り出したりするための巻取軸を内在するようにした態様とするのが好ましいが、上記シャッターカーテンを巻き取ることなく収納したり繰り出したりする態様とすることも可能である。
【０００９】
また、上記サッシ枠とは、上記構造物の開口部に設けられたサッシ窓を構成する部材であり、開閉動作する窓あるいは開閉動作しない所謂はめごろし窓を支持するようにして、該窓の周囲に不動に固定されている部材である。
【００１０】
また、「収納ケースを、構造物の開口部に設けられたサッシ枠に対応させて、該構造物に取付けるようにした」という構成には、上記収納ケースを上記サッシ枠の近傍であって上記サッシ枠の枠外に取付けるようにした態様や、上記収納ケースを上記サッシ枠の枠内に取付けるようにした態様等を含む。
【００１１】
また、上記基枠とは、上記サッシ枠を固定するために上記サッシ枠の周囲に配設された部材であり、この基枠は、上記サッシ枠の周囲においてその略全周にわたって設けられた部材であってもよいし、上記サッシ枠の周囲においてその一部分に設けられた部材であってもよいが、好ましくは、少なくとも上記サッシ枠におけるシャッター開放方向側の部分に対応して設けられる。
【００１２】
また、上記「基枠に対し、前記収納ケースを固定する」という構成には、上記基枠に対し上記収納ケースを直接的に固定するようにした態様や、上記基枠と上記収納ケースとの間に支持部材を介在するとともに、該支持部材を上記基枠に対し直接的に固定するようにした態様等を含む。
なお、これら態様においては、前記収納ケースと前記基枠との間や、前記支持部材と前記基枠との間に、壁等が介在された構成であってもよいし、壁等が介在されていない構成であってもよい。
【００１３】
また、上記基枠に対し上記収納ケースを固定する手段の具体例としては、上記収納ケースを釘やネジ等の止着具によって上記基枠に止着するようにした態様や、上記収納ケースが掛止される支持部材を釘やネジ等の止着具によって上記基枠に止着するようにした態様等が挙げられる。
【００１４】
また、第二の発明では、上記収納ケースを、上記サッシ枠よりもシャッター開放方向側に配設するようにしたことを特徴とする。
【００１５】
また、第三の発明では、上記収納ケースを、上記サッシ枠内におけるシャッター開放方向側に配設するようにしたことを特徴とする。
【００１６】
この発明において、上記収納ケースは、その一部分が上記サッシ枠内に配置されていてもよいし、その全部が上記サッシ枠内に配置されていてもよい。
【００１７】
また、第四の発明では、上記基枠に対し支持部材を固定し、該支持部材に対し上記収納ケースを支持するようにしたことを特徴とする。
【００１８】
ここで、上記支持部材とは、上記基枠に対し固定される部材であって、且つ上記収納ケースを支持可能な部材であればよく、その形状、材質等は限定されない。
この支持部材の具体例としては、上記基枠に対し止着可能な略板状に形成され、その表面に上記収納ケースを掛止するための被掛止部を備えた態様や、略垂直状の一片部と略水平状の他片部とからなる断面略逆Ｌ字状に形成され、その一片部を上記基枠に対し止着可能にするとともに、その他片部に上記収納ケースが載置されるようにした態様等が挙げられる。
【００１９】
また、第五の発明では、上記基枠に対し支持部材を固定し、該支持部材に対し上記収納ケースを支持するようにしたシャッター装置の取付け構造であって、前記支持部材を、上記基枠に対し固定される基部と、上記サッシ枠よりもシャッター開放方向側に延設された延設部とから一体的に構成し、前記延設部に対し、上記収納ケースを固定するようにしたことを特徴とする。
【００２０】
また、第六の発明では、シャッターカーテンを開閉方向へ案内するガイドレールを、上記支持部材との係合により位置合わせするようにしたことを特徴とする。
【００２１】
また、第七の発明では、上記支持部材には、上記ガイドレールの出隅部分に対し重ね合わせ可能な入隅部が設けられ、上記ガイドレールは、その出隅部分を前記入隅部に対し重ね合わせることで、位置合わせされていることを特徴とする。
【００２２】
なお、本明細書中において「シャッター厚さ方向」とは、閉鎖状態の上記シャッターカーテンの厚さ方向を意味する。
また、本明細書中において「シャッター幅方向」とは、上記シャッターカーテンの開閉方向と略直交する方向であって、上記シャッターカーテンの厚さ方向ではない方向を意味する。
また、本明細書中において「シャッター開閉方向」とは、上記シャッターカーテンが空間を仕切ったり開放したりするためにスライドする方向を意味する。
【発明の効果】
【００２３】
本発明は、以上説明したように構成されているので、以下に記載されるような作用効果を奏する。
第一の発明によれば、サッシ枠の周囲の基枠に対し収納ケースを固定するようにしたため、設置対象物である構造物に対し、収納ケースを固定するための柱や、特殊な縦枠等を設置する等、特別な加工をすることなく、収納ケースを頑丈かつ容易に固定することができ、構造物が既存のものである場合にも、収納ケースの取付け作業が容易である。
すなわち、サッシ枠を有する通常の構造物には、該サッシ枠を固定するための基枠が予め設けられている。この基枠は、サッシ枠を安全に固定するために比較的頑丈に構成されている。しかも、この基枠は、サッシ枠の周囲に接触して配置されるため、例えば壁内に隠蔽されている場合でも、その位置の認識が容易である。本発明は、このような基枠の構造を有効に利用して、収納ケースを頑丈かつ容易に固定するものである。
【００２４】
更に、第二の発明によれば、収納ケースがサッシ枠のシャッター開放方向側に配設されるため、サッシ枠内の開口部を広く確保することができる。
【００２５】
また、第三の発明によれば、収納ケースがサッシ枠のシャッター厚さ方向側へ突出する量を少なくすることができ、ひいては、サッシ枠の屋内側または屋外側のスペースを、比較的広く確保することができる。
【００２６】
更に、第四の発明によれば、予め基枠に固定された支持部材に対し、収納ケースを支持するようにしているため、比較的高重量物である収納ケースの取付け作業を、いっそう容易に行うことができる。
【００２７】
また、第五の発明によれば、基枠に対し支持部材の基部を固定すれば、延設部がサッシ枠よりもシャッター開放方向側に配置される。そして、その延設部に対し収納ケースを固定すれば、収納ケースがサッシ枠よりもシャッター開放方向側に配置される。
したがって、収納ケースをサッシ枠よりもシャッター開放方向側に配置して、サッシ枠内の開口部を広く確保した構造を、比較的簡単な作業によって構築することができる。
【００２８】
更に、第六の発明によれば、ガイドレールが支持部材との係合により位置合わせされるため、取付け作業をスピーディー且つ容易に行うことができる。
【００２９】
更に、第七の発明によれば、ガイドレールを支持部材との係合により位置合わせする構造を、簡素で生産性の良好な具体的構成とすることができる。
【発明を実施するための最良の形態】
【００３０】
以下、本発明の実施の形態を図面に基づいて説明する。
本実施の形態は、住宅やビル、倉庫、工場、地下街、トンネル、車両の荷台等の構築・構造物における開口部分や内部に配設され、前記開口部分を開閉したり、躯体内部の空間を仕切ったり開放したりするシャッター装置における取付け構造として適用可能であるが、特に好ましい態様として、構造物のサッシ窓に対応させて窓用シャッター装置を装着するようにした窓用シャッター装置の取付け構造の一例について説明する。
【００３１】
この取付け構造Ａは、構造物１０の躯体開口部に設けられたサッシ窓２０に対応させて、該構造物１０の屋内側に窓用のシャッター装置３０を装着するようにしている。
【００３２】
構造物１０は、本実施の形態の一例によれば木造建築物であり、略水平方向に所定間隔を置いて配設された上下方向の二本の縦柱１０ａ，１０ｂの間に、略矩形状の基枠１１を構成するとともに、該基枠１１を内外の壁によって覆っている。
【００３３】
基枠１１は、前記二本の縦柱１０ａ，１０ｂ間に架け渡された上下の横枠１１ａ，１１ｂと、一方の前記縦柱１０ａを部分的に利用するようにした一方の縦枠１１ｃと、前記上下の横柱１１ａ，１１ｂ間に架け渡された他方の縦枠１１ｄとから、略矩形枠状に構成されている。
そして、この基枠１１の枠内には、サッシ窓２０が固定されている。
【００３４】
サッシ窓２０は、略矩形枠状のサッシ枠２１内に、上下左右の框と該框内の硝子とから構成された複数の窓２２，２３を装着してなる。
サッシ枠２１は、略垂直状に配設された左右の側部枠材２１ａ，２１ｂと、略水平状に配設された上部枠材２１ｃ及び下部枠材２１ｄとから構成され、基枠１１の内面に対し止着されている。
【００３５】
また、シャッター装置３０は、閉鎖方向端部を上下方向へスライドさせて開閉動作するシャッターカーテン３１と、該シャッターカーテン３１の幅方向の両端部を開閉方向へ案内する左右のガイドレール３２，３２と、シャッターカーテン３１の閉鎖方向側で全閉時のシャッターカーテン３１を受ける下枠３３と、シャッターカーテン３１の開放方向側で該シャッターカーテン３１を巻き取ったり繰り出したりする巻取装置３４とを備え、巻取装置３４を構成している収納ケース３４ａを、左右の支持部材３５，３５を介して上記基枠１１に固定するように構成される。
【００３６】
シャッターカーテン３１は、横長略矩形状の金属板を曲げ加工してなる所謂スラットを、上下に隣接するスラット間で回動するように複数連接することで、本体部を構成し、この本体部の下側の端部に、下枠３３に当接させるための座板部材を、シャッター幅方向にわたって接続してなる。
【００３７】
また、ガイドレール３２は、シャッターカーテン３１を開閉方向へ案内するレール本体部３２ａと、該レール本体部３２ａが嵌め合わせられるレール受け３２ｂとから構成され、シャッターカーテン３１の幅方向の両端部側の各々に、上下方向へわたって配設され、前記レール受け３２ｂが基枠１１に対し止着される（図４参照）。
【００３８】
前記レール本体部３２ａは、シャッターカーテン３１の幅方向端部を囲むように、断面略コ字状に形成され、前記レール受け３２ｂ側の部位に、レール受け３２ｂに対し嵌合可能な嵌合部３２ａ１を、シャッター開閉方向へわたって有する。
【００３９】
また、レール受け３２ｂは、断面略枠状等の形状に構成され、そのレール本体部３２ａ側の部位に、前記嵌合部３２ａ１を嵌合可能な被嵌合部３２ｂ１を有するとともに、その基枠１１側の出隅部分３２ｂ４を、支持部材３５に対し重ね合わせ可能に形成している。
そして、このレール受け３２ｂにおける基枠１１側の部位には、釘やネジ等の複数の止着具４１を挿通するための、複数の貫通孔３２ｂ２が形成されている。
更に、このレール受け３２ｂにおける屋内側の面の上端側には、タップネジやリベット、ボルト等の止着具４２を止着するための複数の止着孔３２ｂ３が形成されている。
【００４０】
また、下枠３３は、閉鎖されるシャッターカーテン３１の下端部を受けるようにして、左右にガイドレール３２，３２の下端部間にわたって配設され、基枠１１の下側の横枠１１ｂに対し、釘やネジ等の止着具によって固定されている。
【００４１】
巻取装置３４は、シャッターカーテン３１を巻き取ったり巻き戻したりする巻取り軸３４ｂや、該巻取り軸３４ｂおよび該巻取り軸３４ｂに巻き取られたシャッターカーテン３１を収納する収納ケース３４ａ等を備え、収納ケース３２内に左右のガイドレール３２，３２の上端部を挿入させるようにして、シャッター幅方向へわたって配設されている。
なお、この巻取装置３４は、シャッターカーテン３１を手動で開閉するようにした態様や、シャッターカーテン３１を電動で開閉するようにした態様、シャッターカーテン３１の開閉動作の内の一方を手動とし他方を電動とした態様等の内、何れの態様であっても構わない。
更に、この巻取装置３４は、シャッターカーテン３１をその自重や錘体の自重等により閉鎖動作させるようにした態様、シャッターカーテン３１を錘体の自重により開放動作させるようにした態様、あるいはこれら態様を組み合わせてなる態様や、これらの内の何れかの態様と上述した態様（電動や手動による態様）とを組み合わせてなる態様等、何れの態様であっても構わない。
【００４２】
上記収納ケース３４ａは、シャッター幅方向へわたる略箱状に形成され、その下端部に、シャッターカーテン３１を挿通させるための開口部３４ａ１を有するとともに、該開口部３４ａ１よりも屋内側（図２によれば右側）に、シャッターカーテン３１に近接し沿うようにしてシャッター幅方向へわたるカーテンレール３４ａ２を固定している。
前記カーテンレール３４ａ２は、屋内側から視た際の体裁を良好にするように、収納ケース３４ａ内の下端側に配置され、その凹部を下方向きに露出されている。
【００４３】
また、この収納ケース３４ａの背部には、後述する支持部材３５の被掛止部３５ｂ１に掛止可能な掛止部（図示せず）が設けられている。
なお、上記収納ケース３４ａは、カーテンレール３４ａ２を省いて、カーテン４３が装着されない態様とすることも可能である。
【００４４】
そして、上記構成の収納ケース３４ａは、先に基枠１１に止着された左右の支持部材３５，３５に掛合させることで、構造物１０側のサッシ枠２１よりもシャッター開放方向側の部位に対し固定される。
【００４５】
各支持部材３５は、金属性の略板状部材に曲げ加工を施してなる一体状の部材であり、基枠１１に対し固定される基部３５ａと、該基部３５ａが基枠１１に固定された状態で、サッシ枠２１よりもシャッター開放方向側に延設される延設部３５ｂと、ガイドレール３２側へ突出するとともにガイドレール３２の延設方向へわたる係合突片部３５ｃとを備えている。
そして、この支持部材３５は、基部３５ａと係合突片部３５ｃとにより構成される内角部分を、入隅部３５ａｃとしている。
【００４６】
基部３５ａと延設部３５ｂは、図示例によれば略逆Ｌ字状に連設される。
そして、基部３５ａには、釘やネジ等の止着具４１を挿通するための貫通孔３５ｄがシャッター開閉方向（図示における上下方向）へわたって複数配設されている。
また、延設部３５ｂにおける下部側にも、止着具４１を挿通するための貫通孔３５ｄがシャッター幅方向（図示における略水平方向）へわたって配設されている。
【００４７】
前記各貫通孔３５ｄの位置は、上記支持部材３５を、サッシ枠２１の周囲側の部位であって同サッシ枠２１の角部分に近接または接触させて略逆Ｌ字状に配置した場合に、挿通される止着具４１が、支持部材３５及び構造物１０の壁面を貫通して、該壁面の裏側の基枠１１に止着されるように、適宜に設定されている。
【００４８】
また、延設部３５ｂには、収納ケース３４ａを掛止するための被掛止部３５ｂ１が設けられている。この被掛止部３５ｂ１は、図示例によれば、延設部３５ｂ面を部分的に切り起こすようにして断面略フック状に形成され、シャッター開閉方向へわたって複数設けられている。
【００４９】
また、係合突片部３５ｃは、曲げ加工等により曲げ形成された部分であり、基部３５ａから延設部３５ｂにわたる一辺側の部分を、ガイドレール３２側へ略垂直に突出させてなる。
そして、この係合突片部３５ｃには、ネジやリベット等の止着具４２を挿通させるための貫通孔３５ｃ１が、シャッター開閉方向へわたって複数設けられている。
【００５０】
上記支持部材３５はサッシ枠２１の左右両側にそれぞれ配置され、これら二つの支持部材３５，３５は、左右対称の形状に構成されている。
なお、この支持部材３５は、前記のように二部材から構成せず、サッシ枠２１の幅の略全長にわたる単一の部材とすることも可能であり、より具体的に説明すれば、図示例の支持部材３５，３５を延設部３５ｂ，３５ｂ同士で連結して一体の部材にしてもよい。
【００５１】
次に、上記構成のシャッター装置３０を、構造物１０に対し装着する方法および手順について詳細に説明する。
先ず、構造物１０の内壁面に対し左右の支持部材３５，３５が固定される。
この際、各支持部材３５は、サッシ枠２１の周囲側の部位であってサッシ枠２１の上角部に近接又は接触する部位に対し、略逆Ｌ字状に配設され、各貫通孔３５ｄに対し止着具４１が挿通され、該止着具４１の先端側が、内壁面裏側の基枠１１に止着される。
すなわち、各支持部材３５は、上記のようにサッシ枠２１の上角部に近接又は接触して配置されることで、貫通孔３５ｄに挿通される止着具４１の先端側を、基枠１１へ導くことになる。
【００５２】
したがって、上記方法によれば、構造物１０の内壁面裏側に配設されている基枠１１を、センサー等により検知しなくとも、各止着具４１を基枠１１に対し止着することができる。
なお、その止着作業をより確実にするために、基枠１１の位置をセンサー等により確認するようにしても構わない。
【００５３】
そして、上記のようにして左右の支持部材３５，３５が構造物１０の内壁面に固定されると、その固定された支持部材３５に対し、レール受け３２ｂの上端側部分が重ね合わせられる。
この際、レール受け３２ｂは、その出隅部分３２ｂ４が、支持部材３５の入隅部３５ａｃに重ね合わせられることで位置合わせされ、更に、支持部材３５における係合突片部３５ｃの貫通孔３５ｃ１に挿通された止着具４２が止着孔３２ｂ３に対し止着されることで、強固に固定される。
【００５４】
次に、各レール受け３２ｂに対し、レール本体部３２ａが嵌合されることで、ガイドレール３２が構成される。
そして、各支持部材３５の被掛止部３５ｂ１，３５ｂ１に対し、収納ケース３４ａが掛止され、この際に、両ガイドレール３２，３２の上端部が収納ケース３４ａ内へ挿入される。
【００５５】
また、両ガイドレール３２，３２の下端部間にわたって下枠３３が配置され、該下枠３３が構造物１０の内壁面に固定される。
この下枠３３も、上記支持部材３５やガイドレール３２と略同様に、釘やネジ等の止着具（図示せず）が挿通され、該止着具の先端側が基枠１１の縦枠１１ｄ（又は１１ｃ）に止着されることで頑丈に固定されている。
【００５６】
そして、上記のようにして設置されたシャッター装置３０に対し、その収納ケース３４ａ下端のカーテンレール３４ａ２には、駒やフック等の部材を介してカーテン４３が吊り下げられる。
【００５７】
なお、この取付け構造Ａにおいて、上記ガイドレール３２は、上記したように巻取装置３４の装着前に固定される構造としてもよいし、巻取装置３４の装着後に固定される構造としてもよい。
また、上記下枠３３は、上記したようにガイドレール３２の装着後に固定される構造としてもよいし、ガイドレール３２の装着前に固定される構造としてもよい。
【００５８】
而して、上記構成の取付け構造Ａによれば、サッシ枠２１の周囲に頑強に構成された基枠１１によって、ガイドレール３２，３２、巻取装置３４、および下枠３３を支持する構造としているため、その支持強度が比較的高く、止着箇所の脱落を生じ難く、安全性も比較的高い。
しかも、通常既設されているサッシ枠２１周囲の基枠１１を利用した止着構造であるため、後作業等により柱を設ける等の加工を要することなく、巻取装置３４を、サッシ窓２０の上方側に速やかに設置することができる。
また、ガイドレール３２及び収納ケース３４ａが、支持部材３５によって位置合わせされるため、その設置作業を比較的短時間に行える上、設置後の出来栄えも良好である。
また、巻取装置３４の設置後には、別途カーテンレールやカーテンボックスを設置せずとも、収納ケース３４ａ下端のカーテンレール３４ａ２を用いて、カーテン４３を容易に配設することができる。
なお、図示例は、カーテン４３を容易に装着できるようにした好ましい態様であるが、カーテンレール３４ａ２を省いた構成とすることも可能である。
【００５９】
また、上記取付け構造Ａでは、巻取装置３４を構造物１０の内壁面に対し固定する構造としたが、巻取装置３４を構造物１０の外壁面に対し固定する構造とすることも可能である。この構造の場合も、上記取付け構造Ａと略同様にして、ガイドレール３２，３２や、支持部材３５，３５、下枠３３等に挿通される止着具（例えば釘やネジ等）が、外壁を貫通して基枠１１に止着されるようにすればよい。
【００６０】
次に、本発明に係わるシャッター装置の取付け構造の他例について説明する。なお、以下に示す取付け構造において、上記取付け構造Ａと略同様の箇所については、上記取付け構造Ａと同一の符号を用いることで、詳細な説明を省略する。
図５〜７に示す取付け構造Ｂは、上記取付け構造Ａが巻取装置３４をサッシ枠２１の上方側に配置する構成であったのに対し、巻取装置３４をサッシ枠２１の枠内に配置した構成としている。
【００６１】
より詳細に説明すれば、この取付け構造Ｂでは、巻取装置３４における収納ケース３４ａを、左右の支持部材３６，３６を介して、サッシ枠２１内におけるシャッター開放方向側に固定するとともに、左右のガイドレール３２，３２をそれぞれ同サッシ枠２１内の側部枠材２１ａ，２１ｂに当接させて固定し、更に、下枠３３を同サッシ枠２１内の下部枠材２１ｄに当接させて固定している。
【００６２】
各支持部材３６は、金属性の略板状部材に曲げ加工を施してなる一体状の部材であり、収納ケース３４ａの背部を支持するための基部３６ａと、ガイドレール３２側へ突出するとともにガイドレール３２の延設方向へわたる係合突片部３６ｂと、サッシ枠２１の上部枠材２１ｃに対し止着される上部側止着片部３６ｃとから構成されている。
そして、サッシ枠２１内の左右に配設される二つの支持部材３６，３６は、左右対称に構成されている。
【００６３】
基部３６ａには、収納ケース３４ａを掛止するための被掛止部３６ａ１が設けられている。この被掛止部３６ａ１は、基部３６ａを部分的に切り起こすようにして断面略フック状に形成され、シャッター開閉方向へわたって複数設けられている。
また、係合突片部３６ｂには、釘やネジ等の止着具４１を挿通するための貫通孔３６ｂ１が複数設けられている。
また、略同様にして、上部側止着片部３６ｃには、止着具４１を挿通するための貫通孔３６ｃ１が複数設けられている。
【００６４】
次に、この取付け構造Ｂにおいて、シャッター装置３０をサッシ枠２１内に装着する方法および手順について詳細に説明する。
先ず、支持部材３６が、サッシ枠２１の上隅部に当接されることで位置合わせされ、複数の止着具４１によって、サッシ枠２１および基枠１１に対し固定される。
この際、止着具４１は、その先端側が、支持部材３６の貫通孔３６ｂ１（又は貫通孔３６ｃ１）に挿通され、更にサッシ枠２１に挿通されて、基枠１１に止着される。
【００６５】
次に、上記のようにして固定された支持部材３６に対し、レール受け３２ｂの上端側部分が重ね合わせられる。
この際、レール受け３２ｂは、その上端側の出隅部分３２ｂ１が支持部材３６における基部３６ａと係合突片部３６ｂとにより構成される入隅部３６ａｂに重ね合わせられることで、位置合わせされる。
そして、レール受け３２ｂに対し止着具４１が複数挿通され、更に、各止着具４１の先端側がサッシ枠２１に挿通されて基枠１１に対し止着される。
【００６６】
次に、固定されたレール受け３２ｂに対しレール本体部３２ａが嵌合されることで、ガイドレール３２が構成される。
そして、各支持部材３６の被掛止部３６ａ１，３６ａ１に対し、収納ケース３４ａが掛止され、この際に、ガイドレール３２，３２の上端部が収納ケース３４ａ内へ挿入される。
【００６７】
また、両ガイドレール３２，３２の下端部間にわたって下枠３３が配置され、該下枠３３が止着具等により、基枠１１に対し固定される。
【００６８】
そして、上記のようにして設置されたシャッター装置３０に対し、その収納ケース３４ａ下端のカーテンレール３４ａ２には、駒やフック等の部材を介してカーテン４３が吊り下げられる。
【００６９】
なお、この取付け構造Ｂにおいて、ガイドレール３２は、上記したように収納ケース３４ａの装着前に固定される構造としてもよいし、収納ケース３４ａの装着後に固定される構造としてもよい。
また、上記下枠３３は、上記したようにガイドレール３２の装着後に固定される構造としてもよいし、ガイドレール３２の装着前に固定される構造としてもよい。
【００７０】
而して、上記構成の取付け構造Ｂは、サッシ枠２１の周囲に頑強に固定された基枠１１によって、ガイドレール３２，３２、巻取装置３４、および下枠３３を支持する構造としているため、上記取付け構造Ａと略同様に、その支持強度が比較的高く、止着箇所の脱落を生じ難く、安全性も比較的高い上、設置作業性や、設置後の出来栄えが良好であり、更には、カーテン４３の設置も容易である。
しかも、シャッター装置３０が少なくとも部分的にサッシ枠２１内に配設されるため、シャッター装置３０が屋内側へ突出して、屋内側スペースが狭くなってしまうのを防ぐことができる。
【００７１】
なお、上記構成の取付け構造Ａ又はＢによれば、カーテンレール３４ａ２をシャッターカーテン３１の屋内側に配置するようにした一例を示したが、カーテンレール３４ａ２をシャッターカーテン３１の屋外側に配置した態様とすることも可能である。
この態様によれば、カーテンレール３４ａ２に取付けられるカーテン４３によって、閉鎖状態のシャッターカーテン３１の屋外側の面が覆われるため、外部からのシャッターカーテン３１の開閉状態の認識を困難にすることができ、ひいては防犯性を向上することができる。
【００７２】
また、上記取付け構造Ａ又はＢによれば、装着作業性やメンテナンス性等を良好にするためにガイドレール３２を、レール本体部３２ａとレール受け３２ｂとの二部材により構成しているが、このガイドレール３２を、単一の部材から構成したり、三以上の部材から構成したりすることも可能である。
【００７３】
また、上記取付け構造Ａ，Ｂによれば、支持部材３５（又は３６）に対し、その表部側からレール受け３２ｂが重ね合わせられる構成としたが、レール受け３２ｂを先に基枠１１に固定し、そのレール受け３２ｂに対し支持部材３５（又は３６）が重ね合わせられる構成とすることも可能である。
【００７４】
また、本発明のシャッター装置の取付け構造は、サッシ窓の構造や材質等を限定するものでない。
例えば、図示例では、単一のサッシ窓２０に対し一つのシャッター装置３０を配設するようにしているが、複数連装されたサッシ窓や、略連装状のサッシ窓に対し、一つのシャッター装置３０を設置するようにしてもよい。
また、サッシ窓２０の材質等は限定されるものでなく、例えばサッシ枠２１が木製等であっても構わない。
更に、図示例のサッシ窓２０を、サッシ枠以外の枠体（金属製枠、木製枠、合成樹脂製枠等を含む）に置換することも可能である。
更に、基枠１１等の構造を同様にすれば、サッシ窓２０を出窓に置換し、その室内側にシャッター装置３０を設置するようにした態様や、サッシ窓２０を例えばカウンターや受付窓口や出入口等の開口部や開口枠等に置換した態様等とすることも可能である。
また、上記実施の形態では、シャッター装置３０を取り付けるための構造として取付け構造Ａ及び取付け構造Ｂを例示したが、これら取付け構造Ａ又は取付け構造Ｂは、オーニング装置を取り付けるための構造として適用することも可能である。
【図面の簡単な説明】
【００７５】
【図１】本発明に係わるシャッター装置の取付け構造の一例を示す正面図である。
【図２】同取付け構造の縦断面図である。
【図３】同取付け構造におけるシャッター装置の設置対象物を示す斜視図である。
【図４】同取付け構造の要部分解斜視図である。
【図５】本発明に係わるシャッター装置の取付け構造の他例を示す正面図である。
【図６】同取付け構造の縦断面図である。
【図７】同取付け構造を要部分解斜視図である。
【図８】従来のシャッター装置の取付け構造の一例を示す正面図である。
【符号の説明】
【００７６】
Ａ，Ｂ：取付け構造
１０：構造物
１１：基枠
２０：サッシ窓
２１：サッシ枠
３０：シャッター装置
３１：シャッターカーテン
３２：ガイドレール
３２ａ：レール本体部
３２ｂ：レール受け
３２ｂ４：出隅部分
３４ａ：収納ケース
３５，３６：支持部材
３５ａ：基部
３５ａｃ，３６ａｂ：入隅部
３５ｂ：延設部
３５ｃ：係合突片部
【図１】
2006283328.tif 000003
【図２】
2006283328.tif 000004
【図３】
2006283328.tif 000005
【図４】
2006283328.tif 000006
【図５】
2006283328.tif 000007
【図６】
2006283328.tif 000008
【図７】
2006283328.tif 000009
【図８】
2006283328.tif 000010